【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
各々が光電変換部及び前記光電変換部で発生した電荷を転送するための転送手段を含む、２次元状に配列された複数の画素と、
前記複数の画素に対して、第１色のフィルタと第２色のフィルタとが２次元状に配列されたカラーフィルタと、を備える固体撮像装置であって、
前記カラーフィルタは、前記第１色のフィルタと前記第２色のフィルタとが或る方向において交互に配列され、前記第１色のフィルタが前記或る方向に対する斜め方向において連続に配列されてなり、
前記複数の画素は、前記或る方向に対する前記斜め方向において互いに隣接する、前記第１色のフィルタが配された第１画素及び第２画素と、
前記或る方向において前記第２画素を挟むように前記第２画素に隣接する、前記第２色のフィルタが配された第３画素及び第４画素と、を含む単位画素群を有し、
前記第１画素、前記第２画素、前記第３画素及び前記第４画素を含む前記単位画素群は、前記第１画素、前記第２画素、前記第３画素及び前記第４画素の前記転送手段の各々に共通接続されたノードの電荷に基づいて信号を出力する増幅手段を含むことを特徴とする固体撮像装置。
【請求項２】
前記カラーフィルタは第３色のフィルタをさらに有し、前記第１色のフィルタと前記第３色のフィルタとが前記或る方向に直交する別の方向において交互に配列されており、
前記複数の画素は、前記別の方向に対する斜め方向において互いに隣接する、前記第１色のフィルタが配された第５画素及び第６画素と、前記別の方向において前記第６画素を挟むように前記第６画素に隣接する、前記第３色のフィルタが配された第７画素及び第８画素と、を含む単位画素群をさらに有し、
前記第５画素、前記第６画素、前記第７画素及び前記第８画素を含む前記単位画素群は、前記第５画素、前記第６画素、前記第７画素及び前記第８画素の前記転送手段の各々に共通接続されたノードの電荷に基づいて信号を出力する、前記第１画素、前記第２画素、前記第３画素及び前記第４画素を含む前記単位画素群の前記増幅手段とは別の増幅手段を含むことを特徴とする請求項１記載の固体撮像装置。
【請求項３】
前記第３画素は前記第１画素及び前記第２画素に隣接しており、前記第１画素、前記第２画素、前記第３画素及び前記第４画素の前記転送手段の各々に共通接続された前記ノードは、前記第１画素の前記転送手段と前記第３画素の前記転送手段に共有された不純物拡散領域を含むことを特徴とする請求項１又は２記載の固体撮像装置。
【請求項４】
前記第４画素は前記第２画素に隣接しており、前記第１画素、前記第２画素、前記第３画素及び前記第４画素の前記転送手段の各々に共通接続された前記ノードは、前記第２画素の前記転送手段と前記第４画素の前記転送手段に共有された不純物拡散領域を含むことを特徴とする請求項３記載の固体撮像装置。
【請求項５】
前記第１画素、前記第２画素、前記第３画素及び前記第４画素を含む前記単位画素群は、前記第１画素、前記第２画素、前記第３画素及び前記第４画素の前記転送手段の各々に共通接続された前記ノードの電位をリセットするためのリセット手段を有することを特徴とする請求項１記載の固体撮像装置、又は、
前記第５画素、前記第６画素、前記第７画素及び前記第８画素を含む前記単位画素群は、前記第５画素、前記第６画素、前記第７画素及び前記第８画素の前記転送手段の各々に共通接続された前記ノードの電位をリセットするためのリセット手段を有することを特徴とする請求項２記載の固体撮像装置。
【請求項６】
前記別の方向に対する前記斜め方向が、前記或る方向に対する前記斜め方向に直交することを特徴とする請求項２記載の固体撮像装置。
【請求項７】
各々が光電変換部及び前記光電変換部で発生した電荷を転送するための転送手段を含む、２次元状に配列された複数の画素と、
前記複数の画素に対して、第１色のフィルタと第２色のフィルタと第３色のフィルタとが２次元状に配列されたカラーフィルタと、を備える固体撮像装置であって、
前記カラーフィルタは、前記第１色のフィルタと前記第２色のフィルタとが或る方向において交互に配列され、前記第１色のフィルタが前記或る方向に対する斜め方向において連続に配列され、前記第１色のフィルタと前記第３色のフィルタとが前記或る方向に直交する別の方向において交互に配列されてなり、
前記複数の画素は、第１の単位画素群と、第２の単位画素群と、を有し、
前記第１の単位画素群は、互いに隣接する、前記第１色のフィルタが配された第１画素及び第２画素と、各々が前記第２画素に隣接する、前記第２色のフィルタが配された第３画素及び第４画素と、前記第１画素、前記第２画素、前記第３画素及び前記第４画素の前記転送手段の各々に共通接続された第１のノードの電荷に基づいて信号を出力する第１の増幅手段と、を含み、
前記第２の単位画素群は、互いに隣接する、前記第１色のフィルタが配された第５画素及び第６画素と、各々が前記第６画素に隣接する、前記第３色のフィルタが配された第７画素及び第８画素と、前記第５画素、前記第６画素、前記第７画素及び前記第８画素の前記転送手段の各々に共通接続された第２のノードの電荷に基づいて信号を出力する第２の増幅手段と、を含み、
前記第１の単位画素群と前記第２の単位画素群は、前記第２画素と前記第６画素とが前記斜め方向において互いに隣接するように配置されていることを特徴とする固体撮像装置。
【請求項８】
前記第１のノードは、前記第１画素の前記転送手段と前記第３画素の前記転送手段に共有された不純物拡散領域と、前記第２画素の前記転送手段と前記第４画素の前記転送手段に共有された不純物拡散領域を含むことを特徴とする請求項７記載の固体撮像装置。
【請求項９】
前記第１画素と前記第２画素とが並ぶ方向は、前記第６画素と前記第５画素とが並ぶ方向に直交することを特徴とする請求項７又は８記載の固体撮像装置。
【請求項１０】
前記第１の単位画素群は、前記第３色のフィルタが配された画素を含まず、前記第２の単位画素群は、前記第２色のフィルタが配された画素を含まないことを特徴とする請求項７乃至９のいずれか１項に記載の固体撮像装置。
【請求項１１】
前記転送手段はＭＯＳ型トランジスタであり、前記第１画素、前記第２画素、前記第３画素及び前記第４画素のうち、互いに隣り合う少なくとも一対の画素の前記光電変換部及び前記転送手段が、鏡面対称に配置されていることを特徴とする請求項１乃至９のいずれか１項に記載の固体撮像装置。
【請求項１２】
前記第１画素、前記第２画素、前記第３画素及び前記第４画素のうち、互いに隣り合う二対の画素の前記光電変換部及び前記転送手段が、鏡面対称に配置されていることを特徴とする請求項１０記載の固体撮像装置。
【請求項１３】
前記ノードで、前記第１画素と前記第２画素の電荷及び前記第３画素と前記第４画素の電荷の少なくとも一方を加算可能であることを特徴とする請求項１乃至６のいずれか１項に記載の固体撮像装置、又は、
前記第１のノードで、前記第１画素と前記第２画素の電荷及び前記第３画素と前記第４画素の電荷の少なくとも一方を加算可能であり、前記第２のノードで、前記第５画素と前記第６画素の電荷及び前記第７画素と前記第８画素の電荷の少なくとも一方を加算可能であることを特徴とする請求項７乃至１０のいずれか１項に記載の固体撮像装置。
【請求項１４】
前記第１色は緑であり、前記第２色は赤又は青であることを特徴とする請求項１乃至１３のいずれか１項に記載の固体撮像装置。
【請求項１５】
請求項１乃至１４のいずれか１項に記載の固体撮像装置と、
前記固体撮像装置からの出力信号を処理する信号処理回路と
を有することを特徴とする撮像システム。
【手続補正２】
【補正対象書類名】明細書
【補正対象項目名】０００８
【補正方法】変更
【補正の内容】
【０００８】
本発明の固体撮像装置は、各々が光電変換部及び前記光電変換部で発生した電荷を転送するための転送手段を含む、２次元状に配列された複数の画素と、前記複数の画素に対して、第１色のフィルタと第２色のフィルタとが２次元状に配列されたカラーフィルタと、を備える固体撮像装置であって、前記カラーフィルタは、前記第１色のフィルタと前記第２色のフィルタとが或る方向において交互に配列され、前記第１色のフィルタが前記或る方向に対する斜め方向において連続に配列されてなり、前記複数の画素は、前記或る方向に対する前記斜め方向において互いに隣接する、前記第１色のフィルタが配された第１画素及び第２画素と、前記或る方向において前記第２画素を挟むように前記第２画素に隣接する、前記第２色のフィルタが配された第３画素及び第４画素と、を含む単位画素群を有し、前記第１画素、前記第２画素、前記第３画素及び前記第４画素を含む前記単位画素群は、前記第１画素、前記第２画素、前記第３画素及び前記第４画素の前記転送手段の各々に共通接続されたノードの電荷に基づいて信号を出力する増幅手段を含むことを特徴とする。
また、本発明の固体撮像装置は、各々が光電変換部及び前記光電変換部で発生した電荷を転送するための転送手段を含む、２次元状に配列された複数の画素と、前記複数の画素に対して、第１色のフィルタと第２色のフィルタと第３色のフィルタとが２次元状に配列されたカラーフィルタと、を備える固体撮像装置であって、前記カラーフィルタは、前記第１色のフィルタと前記第２色のフィルタとが或る方向において交互に配列され、前記第１色のフィルタが前記或る方向に対する斜め方向において連続に配列され、前記第１色のフィルタと前記第３色のフィルタとが前記或る方向に直交する別の方向において交互に配列されてなり、前記複数の画素は、第１の単位画素群と、第２の単位画素群と、を有し、
前記第１の単位画素群は、互いに隣接する、前記第１色のフィルタが配された第１画素及び第２画素と、各々が前記第２画素に隣接する、前記第２色のフィルタが配された第３画素及び第４画素と、前記第１画素、前記第２画素、前記第３画素及び前記第４画素の前記転送手段の各々に共通接続された第１のノードの電荷に基づいて信号を出力する第１の増幅手段と、を含み、前記第２の単位画素群は、互いに隣接する、前記第１色のフィルタが配された第５画素及び第６画素と、各々が前記第６画素に隣接する、前記第３色のフィルタが配された第７画素及び第８画素と、前記第５画素、前記第６画素、前記第７画素及び前記第８画素の前記転送手段の各々に共通接続された第２のノードの電荷に基づいて信号を出力する第２の増幅手段と、を含み、前記第１の単位画素群と前記第２の単位画素群は、前記第２画素と前記第６画素とが前記斜め方向において互いに隣接するように配置されていることを特徴とする。
【手続補正３】
【補正対象書類名】明細書
【補正対象項目名】０００９
【補正方法】変更
【補正の内容】
【０００９】
また、本発明の撮像システムは、上記の固体撮像装置と、前記固体撮像装置からの出力信号を処理する信号処理回路とを有することを特徴とする。
【手続補正４】
【補正対象書類名】明細書
【補正対象項目名】００１０
【補正方法】変更
【補正の内容】
【００１０】
本発明によれば、良好な画質を得ることが可能となる。